(57)【要約】【課題】ユーザがダイレクト印刷可能なファイルフォーマットを調べる手間をなくし、利便性を向上する。【解決手段】モバイル端末１０の制御回路１００は、１つ以上の外部の画像形成装置２０に、文書ファイリングシステム３０に格納されている１つの文書が印刷可能であるか否かを応答するように指示し、当該応答指示に対して印刷可能であると応答した画像形成装置２０に対して文書を送信してダイレクト印刷するように、文書ファイリングシステム３０に指示する。【選択図】図４
2020144786.tif 000002
【特許請求の範囲】
【請求項１】
文書ファイリングシステムから取得した文書リストをユーザに提示する表示部と、
提示された前記文書リストに含まれる文書が選択された場合に、選択された文書のファイルフォーマットが印刷可能であるか否かを応答するように指示する応答指示を、１つ以上の外部の画像形成装置に送信するように制御し、
前記画像形成装置から受信した前記応答指示に対する応答に基づいて、前記選択された文書を印刷可能であると応答した画像形成装置のリストがユーザに提示されるように前記表示部を制御し、
前記画像形成装置のリストの中からユーザにより選択された第１の画像形成装置に対して前記選択された文書を送信して印刷させるための印刷指示を、前記文書ファイリングシステムが前記第１の画像形成装置へ直接送信するように指示する第１のダイレクト印刷指示を、前記文書ファイリングシステムに対して送信するように制御する
制御部
を具備する
情報処理装置。
【請求項２】
請求項１に記載の情報処理装置であって、
前記制御部は、
前記応答指示に対する応答に基づいて、前記選択された文書を印刷可能であると応答した画像形成装置がないと判断する場合に、１つ以上の前記外部の画像形成装置から１つを選択し、
選択した第２の画像形成装置がサポートするファイルフォーマットのうち１つを前記応答指示に対する応答に基づいて選択し、
前記文書ファイリングシステムに対して、前記選択された文書を選択したファイルフォーマットに変換し、前記第２の画像形成装置に対して変換後の前記文書を直接送信し、前記第２の画像形成装置に印刷させるように指示する第２のダイレクト印刷指示を、前記文書ファイリングシステムに対して送信するように制御する
情報処理装置。
【請求項３】
表示部で、文書ファイリングシステムから取得した文書リストをユーザに提示するように制御し、
提示された前記文書リストに含まれる文書が選択された場合に、選択された文書のファイルフォーマットが印刷可能であるか否かを応答するように指示する応答指示を、１つ以上の外部の画像形成装置に送信するように制御し、
前記画像形成装置から受信した前記応答指示に対する応答に基づいて、前記選択された文書を印刷可能であると応答した画像形成装置のリストがユーザに提示されるように前記表示部を制御し、
前記画像形成装置のリストの中からユーザにより選択された第１の画像形成装置に対して前記選択された文書を送信して印刷させるための印刷指示を、前記文書ファイリングシステムが前記第１の画像形成装置へ直接送信するように指示する第１のダイレクト印刷指示を、前記文書ファイリングシステムに対して送信するように制御する
情報処理装置の制御方法。
【請求項４】
情報処理装置に、
表示部で、文書ファイリングシステムから取得した文書リストをユーザに提示するように制御する処理と、
提示された前記文書リストに含まれる文書が選択された場合に、選択された文書のファイルフォーマットが印刷可能であるか否かを応答するように指示する応答指示を、１つ以上の外部の画像形成装置に送信するように制御する処理と、
前記画像形成装置から受信した前記応答指示に対する応答に基づいて、前記選択された文書を印刷可能であると応答した画像形成装置のリストがユーザに提示されるように前記表示部を制御する処理と、
前記画像形成装置のリストの中からユーザにより選択された第１の画像形成装置に対して前記選択された文書を送信して印刷させるための印刷指示を、前記文書ファイリングシステムが前記第１の画像形成装置へ直接送信するように指示する第１のダイレクト印刷指示を、前記文書ファイリングシステムに対して送信するように制御する処理
を実行させるためのプログラム。
【発明の詳細な説明】
【技術分野】
【０００１】
本発明は、情報処理装置に関する。本発明は、さらに、この情報処理装置が実行する情報処理装置の制御方法に関する。本発明は、さらに、この情報処理装置に実行させるためのプログラムに関する。
【背景技術】
【０００２】
オフィスで構築されているイントラネットを介して、パーソナルコンピュータやスマートフォン等のクライアント装置と画像形成装置とが接続する画像形成システムが従来知られている。このような画像形成システムにおいて、クライアント装置が、画像形成装置においてサポートされていないＰＤＬ（Page Description Language）データを画像形成装置に送信した場合、印刷エラーになる。特許文献１は、クライアント装置が画像形成装置のサポートするＰＤＬ形式を印刷前に問い合わせることによって、この問題を解決しようとしている。
【先行技術文献】
【特許文献】
【０００３】
【特許文献１】特許３４９２０６９号公報
【発明の概要】
【発明が解決しようとする課題】
【０００４】
しかしながら、特許文献１は、クライアント装置がプリンタドライバを使用することが前提になっている。特許文献１では、画像形成装置が直接、文書ファイリングシステムからファイルを取得し、取得したファイルを直接印刷（ダイレクト印刷）する場合の振る舞いについて言及されていない。
【０００５】
画像形成装置が、文書ファイリングシステムから文書ファイルを取得し、取得した文書ファイルを直接印刷（ダイレクト印刷）する場合、ファイルの形式（以下、「ファイルフォーマット」）が画像形成装置により印刷可能な形式でなければならない。従来は、画像形成装置のファイルフォーマットのサポート状況をユーザが調べる必要があった。この場合さらに画像形成装置が複数のときは、どの画像形成装置がどのファイルフォーマットをサポートしているのか調べるのに時間がかかる。
【０００６】
文書ファイルを文書ファイリングシステムからいったんクライアント装置にダウンロードし、画像形成装置から印刷する場合、ファイルが変換されることがありいわゆる「ＷＹＳＩＷＹＧ」（What You See Is What You Get）が担保できない可能性がある。また、ダウンロードする必要があること自体がユーザにとって負担である。
【０００７】
本発明は、ユーザがダイレクト印刷可能なファイルフォーマットを調べる手間をなくし、利便性を向上することを目的とする。
【課題を解決するための手段】
【０００８】
本発明の一形態に係る情報処理装置は、
文書ファイリングシステムから取得した文書リストをユーザに提示する表示部と、
提示された前記文書リストに含まれる文書が選択された場合に、選択された文書のファイルフォーマットが印刷可能であるか否かを応答するように指示する応答指示を、１つ以上の外部の画像形成装置に送信するように制御し、
前記画像形成装置から受信した前記応答指示に対する応答に基づいて、前記選択された文書を印刷可能であると応答した画像形成装置のリストがユーザに提示されるように前記表示部を制御し、
前記画像形成装置のリストの中からユーザにより選択された第１の画像形成装置に対して前記選択された文書を送信して印刷させるための印刷指示を、前記文書ファイリングシステムが前記第１の画像形成装置へ直接送信するように指示する第１のダイレクト印刷指示を、前記文書ファイリングシステムに対して送信するように制御する
制御部
を具備する。
【０００９】
（１）本実施形態によれば、情報処理置は、外部の画像形成装置に、文書ファイリングシステムに格納されている１つの文書が印刷可能であるか否かを応答するように指示し、当該応答指示に対して印刷可能であると応答した画像形成装置に対して文書を送信してダイレクト印刷するように、文書ファイリングシステムに指示する。これにより、ユーザがダイレクト印刷可能なファイルフォーマットを調べる手間をなくし、利便性を向上することができる。
【００１０】
上記実施形態において、
前記制御部は、
前記応答指示に対する応答に基づいて、前記選択された文書を印刷可能であると応答した画像形成装置がないと判断する場合に、１つ以上の前記外部の画像形成装置から１つを選択し、
選択した第２の画像形成装置がサポートするファイルフォーマットのうち１つを前記応答指示に対する応答に基づいて選択し、
前記文書ファイリングシステムに対して、前記選択された文書を選択したファイルフォーマットに変換し、前記第２の画像形成装置に対して変換後の前記文書を直接送信し、前記第２の画像形成装置に印刷させるように指示する第２のダイレクト印刷指示を、前記文書ファイリングシステムに対して送信するように制御してもよい。
【００１１】
（２）本実施形態によれば、情報処理装置は、文書を印刷可能であると応答した画像形成装置がない場合に、文書ファイリングシステムに文書のファイルフォーマットを変換した上でダイレクト印刷するように指示する。これにより、ダイレクト印刷可能な画像形成装置がない場合でも、ユーザ所望の印刷出力が得られ、利便性を向上することができる。
【００１２】
上記目的は、以下の実施形態によっても達成することができる。
本発明の一形態に係る情報処理装置の制御方法は、
表示部で、文書ファイリングシステムから取得した文書リストをユーザに提示するように制御し、
提示された前記文書リストに含まれる文書が選択された場合に、選択された文書のファイルフォーマットが印刷可能であるか否かを応答するように指示する応答指示を、１つ以上の外部の画像形成装置に送信するように制御し、
前記画像形成装置から受信した前記応答指示に対する応答に基づいて、前記選択された文書を印刷可能であると応答した画像形成装置のリストがユーザに提示されるように前記表示部を制御し、
前記画像形成装置のリストの中からユーザにより選択された第１の画像形成装置に対して前記選択された文書を送信して印刷させるための印刷指示を、前記文書ファイリングシステムが前記第１の画像形成装置へ直接送信するように指示する第１のダイレクト印刷指示を、前記文書ファイリングシステムに対して送信するように制御する。
【００１３】
本発明の一形態に係るプログラムは、
情報処理装置に、
表示部で、文書ファイリングシステムから取得した文書リストをユーザに提示するように制御する処理と、
提示された前記文書リストに含まれる文書が選択された場合に、選択された文書のファイルフォーマットが印刷可能であるか否かを応答するように指示する応答指示を、１つ以上の外部の画像形成装置に送信するように制御する処理と、
前記画像形成装置から受信した前記応答指示に対する応答に基づいて、前記選択された文書を印刷可能であると応答した画像形成装置のリストがユーザに提示されるように前記表示部を制御する処理と、
前記画像形成装置のリストの中からユーザにより選択された第１の画像形成装置に対して前記選択された文書を送信して印刷させるための印刷指示を、前記文書ファイリングシステムが前記第１の画像形成装置へ直接送信するように指示する第１のダイレクト印刷指示を、前記文書ファイリングシステムに対して送信するように制御する処理
を実行させるためのプログラムである。
【発明の効果】
【００１４】
本発明によれば、ユーザがダイレクト印刷可能なファイルフォーマットを調べる手間をなくし、利便性を向上することができる。
【００１５】
なお、ここに記載された効果は必ずしも限定されるものではなく、本発明中に記載されたいずれかの効果であってもよい。
【図面の簡単な説明】
【００１６】
【図１】本発明の一実施形態に係る画像形成システムを示す。
【図２】モバイル端末のハードウェア構成を示す。
【図３】画像形成装置のハードウェア構成を示す。
【図４】文書ファイリングシステムのハードウェア構成を示す。
【図５】モバイル端末の動作フローを示す。
【図６】画像形成装置の動作フローを示す。
【図７】文書ファイリングシステムの動作フローを示す。
【図８】文書リストの一例を示す。
【図９】応答指示への応答の一例を示す。
【発明を実施するための形態】
【００１７】
以下、図面を参照しながら、本発明の実施形態を説明する。
【００１８】
１．画像形成システム
【００１９】
図１は、本発明の一実施形態に係る画像形成システムを示す。
【００２０】
画像形成システム１は、モバイル端末１０と、画像形成装置２０−１、画像形成装置２０−２、画像形成装置２０−３・・・と、文書ファイリングシステム３０を有する。複数の画像形成装置２０−１、画像形成装置２０−２、画像形成装置２０−３・・・を、以後区別する必要がない場合は「画像形成装置２０」と呼ぶ。画像形成装置２０は、例えば、ＭＦＰ（Multifunction Peripheral）である。モバイル端末１０と、画像形成装置２０と文書ファイリングシステム３０は、ネットワークＮを介して相互に通信できるように接続されている。
【００２１】
本実施形態では、画像形成装置２０が、文書ファイリングシステム３０の有するファイルを、ユーザのパーソナルコンピュータ等、その他の電子機器を介さず直接印刷（ダイレクト印刷）する。
【００２２】
モバイル端末１０は、情報処理装置の一例である。情報処理装置が携帯可能である、いわゆるモバイルである必要はないが、モバイル端末１０は一般的に言って、パーソナルコンピュータと比較すると画面が小さく、操作性も劣る。したがって、ユーザが、どの画像形成装置２０がどのファイルフォーマットのダイレクト印刷に対応するのかを調べる時間は、パーソナルコンピュータよりもかかる傾向にある。さらに、文書ファイリングシステム３０から文書をダウンロードして印刷する場合も、ＷＹＳＩＷＹＧが担保できない可能性も高い。
【００２３】
２．モバイル端末のハードウェア構成
【００２４】
図２は、モバイル端末のハードウェア構成を示す。
【００２５】
モバイル端末１０は、ＣＰＵ１１、ＲＯＭ１２、ＲＡＭ１３、ＨＤＤやＳＳＤ等の大容量の不揮発性の記憶装置１４、ネットワーク通信インターフェース１５、操作装置１６及び表示装置１７と、これらを相互に接続するバス１８とを有する。
【００２６】
ＣＰＵ１１、ＲＯＭ１２、及びＲＡＭ１３は、制御回路１００を構成する。ＣＰＵ１１は、ＲＯＭ１２が記憶する情報処理プログラムをＲＡＭ１３にロードして実行する。ＲＯＭ１２は、ＣＰＵ１１が実行するプログラムやデータなどを固定的に記憶する。ＲＯＭ１２は、非一過性のコンピュータ読み取り可能な記録媒体の一例である。
【００２７】
上記情報処理プログラムとしては、モバイル端末の基本的な制御や入出力をになうオペレーティングシステムと、当該オペレーティングシステム上で動作し、本実施形態のダイレクト印刷のユーザインターフェースを提供するモバイルアプリケーションがある。
【００２８】
３．画像形成装置のハードウェア構成
【００２９】
図３は、画像形成装置のハードウェア構成を示す。
【００３０】
画像形成装置２０は、制御回路２１を備える。制御回路２１は、プロセッサであるＣＰＵ２１ａ（Central Processing Unit）、ＲＡＭ２１ｂ（Random Access Memory）、メモリであるＲＯＭ２１ｃ（Read Only Memory）及び専用のハードウェア回路等から構成され、画像形成装置２０の全体的な動作制御を司る。ＣＰＵ２１ａは、ＲＯＭ２１ｃが記憶する情報処理プログラムをＲＡＭ２１ｂにロードして実行する。ＲＯＭ２１ｃは、ＣＰＵ２１ａが実行するプログラムやデータなどを固定的に記憶する。ＲＯＭ２１ｃは、非一過性のコンピュータ読み取り可能な記録媒体の一例である。
【００３１】
制御回路２１は、画像読取部２２（イメージスキャナ）、画像処理部２４（ＧＰＵ（Graphics Processing Unit）を含む）、画像メモリ２５、画像形成部２６（プリンタ）、表示部２７ａを備える操作部２７（タッチパネル）、ＨＤＤ（Hard Disk Drive）やＳＳＤ（Solid State Drive）等の大容量の不揮発性の記憶装置２８、ファクシミリ通信部２９及びネットワーク通信インターフェース２３等と接続されている。制御回路２１は、接続されている上記各部の動作制御や、各部との間での信号又はデータの送受信を行う。操作部２７（タッチパネル）は、入力装置の一形態であり、入力装置として、マイクロフォンを含む音声入力装置が設けられてもよい。
【００３２】
画像形成装置２０の制御回路２１において、ＣＰＵ２１ａは、ＲＯＭ２１ｃが記憶する情報処理プログラムをＲＡＭ２１ｂにロードして実行する。当該情報処理プログラムとしては、画像形成装置２０の基本的な制御や入出力を担うファームウェアと、ユーザインターフェースや上記ダイレクト印刷の提供をになうアプリケーションがある。
【００３３】
４．文書ファイリングシステムのハードウェア構成
【００３４】
図４は、文書ファイリングシステムのハードウェア構成を示す。
【００３５】
文書ファイリングシステム３０は、ＣＰＵ３１、ＲＯＭ３２、ＲＡＭ３３、ＨＤＤやＳＳＤ等の大容量の不揮発性の記憶装置３４、ネットワーク通信インターフェース３５、操作装置３６及び表示装置３７と、これらを相互に接続するバス３８とを有する。
【００３６】
ＣＰＵ３１、ＲＯＭ３２、及びＲＡＭ３３は、制御回路３００を構成する。ＣＰＵ３１は、ＲＯＭ３２が記憶する情報処理プログラムをＲＡＭ３３にロードして実行する。ＲＯＭ３２は、ＣＰＵ３１が実行するプログラムやデータなどを固定的に記憶する。ＲＯＭ３２は、非一過性のコンピュータ読み取り可能な記録媒体の一例である。
【００３７】
本実施形態の文書ファイリングシステム３０は、上述のように、ファイルサーバとして構成されているが、複数のサーバ群を含むコンピュータシステムとして構成されてもよい。また、この場合、各サーバが、ストレージサーバ、文書変換サーバ、認証サーバなど、機能ごとに役割が分担されたコンピュータシステムとして構成されてもよい。
【００３８】
５．モバイル端末の動作フロー
【００３９】
図５は、モバイル端末の動作フローを示す。
【００４０】
制御回路１００は、操作装置１６を介してユーザのログイン操作を受け付けると、当該ログイン操作の内容に基づいて、文書ファイリングシステム３０へのユーザのログインを行い、当該ユーザに割り当てられた記憶領域にある文書リスト（図８参照）の送信を要求する（ステップＳ１０１）。なお、ネットワークＮにユーザ認証サーバ（不図示）がある場合、制御回路１００は、当該ユーザ認証サーバに対してログイン処理をしてもよい。
【００４１】
その後、制御回路１００は、文書ファイリングシステム３０から文書リストを受信し、受信した文書リストを表示装置１７に表示させるように制御する。表示装置１７は、文書リストを表示し、ユーザに提示する（ステップＳ１０２）。
【００４２】
続いて制御回路１００は、操作装置１６を介して、提示された文書リストに対するユーザの操作入力を受け付けて、当該操作入力に基づいて、ユーザによる文書の選択を受け付ける（ステップＳ１０３）。
【００４３】
続いて制御回路１００は、選択された文書のファイルフォーマットをサポートしており、当該文書を印刷可能か否か、応答するように、各画像形成装置２０に指示（応答指示）する（ステップＳ１０４）。この応答指示は、ネットワークＮ上のホストに対してブロードキャストする方法により送信される。
【００４４】
その後、制御回路１００は、各画像形成装置２０から上記応答指示への応答を受信し、受信した応答をリストにして表示装置１７に表示させ、ユーザに提示する（ステップＳ１０５）。図９にユーザに提示される応答指示への応答の例が示されている。
【００４５】
ダイレクト印刷においては、画像形成装置２０がどのファイルフォーマットをサポートしているかによって利便性の幅が変わってくる。サポートするファイルフォーマットの数は多いほうがよいが、ライセンス費用の面から通常は限定的なサポートとなっている。場合によっては、印刷可能な画像形成装置２０がネットワークの範囲内にない可能性もある。
【００４６】
続いて、制御回路１００は、所定の時間内に収集できた画像形成装置２０からの応答に基づいて、印刷可能な画像形成装置２０があるか否かを判断する（ステップＳ１０６）。
【００４７】
印刷可能な画像形成装置２０がある場合（ステップＳ１０６：ある）、制御回路１００は、操作装置１６を介してユーザの操作入力に基づいて、ユーザによる１つの画像形成装置２０の選択を受け付ける（ステップＳ１０７）。ここでは、例として、画像形成装置２０−１が選択されたものとする。
【００４８】
続いて、制御回路１００は、文書ファイリングシステム３０へ、選択された文書を、画像形成装置２０−１を使ってダイレクト印刷するように指示するコマンド（第１のダイレクト印刷指示）を送信するように、ネットワーク通信インターフェース１５を制御する（ステップＳ１０８）。
【００４９】
ここで、第１のダイレクト印刷指示は、第１に、文書ファイリングシステム３０が記憶する文書（選択された文書）を画像形成装置２０−１に送信することと、第２に、送信した文書を画像形成装置２０−１に印刷させるための印刷指示を画像形成装置２０−１にすることとを含む。モバイル端末１０は、上記第１の送信指示と上記第２の印刷指示を文書ファイリングシステム３０が画像形成装置２０−１に対して送信するように指示する第１のダイレクト印刷指示を、文書ファイリングシステム３０に対して送信する。
【００５０】
一方で、印刷可能な画像形成装置２０がない場合（ステップＳ１０６：ない）、制御回路１００は、まず、１つの画像形成装置２０を選択する（ステップＳ１０９）。ここでは、例として、画像形成装置２０−２が選択されたものとする。
【００５１】
続いて、制御回路１００は、選択された文書のファイルフォーマットの変換と、変換後の文書の画像形成装置２０−２への送信と、送信した変換後の文書の印刷を、画像形成装置２０−２に指示するための第２のダイレクト印刷指示を、文書ファイリングシステム３０へ送信するように、ネットワーク通信インターフェース１５を制御する（ステップＳ１１０）。
【００５２】
第２のダイレクト印刷指示を示す情報には、選択された文書ファイルを示す情報（ＵＲＬ等）と、画像形成装置２０−２が印刷可能なファイルフォーマットのリスト（図７参照）と、ファイルフォーマットの変換の指示を示す情報と、変換後の文書ファイルの画像形成装置２０−２への送信の指示を示す情報が含まれる。
【００５３】
６．画像形成装置の動作フロー
【００５４】
図６は、画像形成装置の動作フローを示す。
【００５５】
画像形成装置２０の制御回路２１は、モバイル端末１０から応答指示を受信すると（ステップＳ２０１）、続いて、当該画像形成装置２０がサポートするファイルフォーマットのリストを取得する（ステップＳ２０２）。
【００５６】
当該画像形成装置２０がサポートするファイルフォーマットのリスト取得の方法としては種々の方法があるが、本実施形態では、画像形成装置２０上で動いているアプリケーションが、画像形成装置２０のファームウェアが提供するＡＰＩに問い合わせる、回答を得る方法を採用する。
【００５７】
続いて、制御回路２１は、上記応答指示に含まれる、選択された文書のファイルフォーマットに関する情報に基づいて、選択された文書が印刷可能なファイルフォーマットであるか否かを判断する（ステップＳ２０３）。
【００５８】
続いて、制御回路２１は、印刷可能な場合も印刷不可能な場合も、上記応答指示に対して応答する（ステップＳ２０４）。具体的には、制御回路２１は、印刷可能又は印刷不可能であることを示す情報を、モバイル端末１０に送信するようにネットワーク通信インターフェース２３を制御する。
【００５９】
その後、文書ファイリングシステム３０より印刷指示が来た場合は（ステップＳ２０５：あり）、制御回路２１は、当該印刷指示に従って、印刷指示に含まれる文書（これはファイルフォーマットが変換されている場合も変換されていない場合もある）を、画像形成部２６が印刷するように制御する（ステップＳ２０６）。
【００６０】
７．文書ファイリングシステムの動作フロー
【００６１】
図７は、文書ファイリングシステムの動作フローを示す。
【００６２】
制御回路２００は、モバイル端末１０からユーザがログイン操作をした情報とともに認証情報を受信し、ユーザの文書ファイリングシステム３０へのログイン処理を制御する（ステップＳ３０１）。以下、ログインが問題なく成功したものとする。
【００６３】
続いて、制御回路２００は、画像形成装置２０から文書リスト（図８参照）の送信要求を受信するまで待つ（ステップＳ３０２）。ディレクトリを指定した文書リストの送信要求を受信した場合、制御回路２００は、当該ディレクトリに対応する文書リストを送信する（ステップＳ３０３）。
【００６４】
ただし、制御回路２００は、ユーザがログインに成功すると自動的にユーザのホームディレクトリにある文書ファイルの文書リストを送信するように構成されてもよい。また、文書リストの送信要求の受信、及び、その送信のプロセスは、複数回繰り返されてもよい。
【００６５】
続いて、画像形成装置２０から、ステップＳ３０３で送信した文書リスト中の一つの文書を指定したダイレクト印刷指示を受信すると（ステップＳ３０４）、制御回路２００は、当該送信指示の中に、ファイルフォーマットの変換指示があるか否かを判断する（ステップＳ３０５）。
【００６６】
この文書の送信指示に、ファイルフォーマットの変換の指示が含まれず、単純に文書をダイレクト印刷することが指示されている場合は（ステップＳ３０５：なし）、制御回路２００は、指定された文書と印刷指示を、指定された画像形成装置２０に送信する（ステップＳ３０７）。
【００６７】
他方で、文書のダイレクト印刷指示に、ファイルフォーマットの変換の指示が含まれている場合は（ステップＳ３０５：あり）、制御回路２００は、文書ファイルの送信指示に含まれる印刷可能なファイルフォーマットのリスト（図９参照）の中から１つ以上のファイルフォーマットを選択し、選択したファイルフォーマットに、ダイレクト印刷指示により指定された文書のファイルフォーマットを変換する（ステップＳ３０６）。
【００６８】
ファイルフォーマットを変換した場合も、制御回路２００は、指定された文書であって変換後の文書と印刷指示を、ダイレクト印刷指示により指定された画像形成装置２０に送信する（ステップＳ３０７）。
【００６９】
８．文書リスト
【００７０】
図８は、文書リストの一例を示す。
【００７１】
ファイルアイコン８０１は、文書ファイルのファイルフォーマットを直感的に理解可能にした画像である。ファイル名８０２は、文書ファイルにつけられたファイル名を、ファイルフォーマットを示す拡張子とともに示す。更新日時８０３は、文書ファイルの最終更新日時を示す。
【００７２】
図８において、「企画書Ａドラフト．ｄｏｃ」は、例えば、マイクロソフト（登録商標）社のワード（商標）ドキュメント・ファイルの１例である。「企画書Ｂ最終版．ｐｄｆ」と「企画書Ｃ最終版．ｐｄｆ」は、アドビシステムズ（登録商標）が提唱するファイルフォーマット、Portable Document Format 形式のファイルの例を示している。
【００７３】
文書ファイリングシステム３０は、図８に示すような文書リストをモバイル端末１０に送信する。
【００７４】
９．応答指示への応答
【００７５】
図９は、応答指示への応答の一例を示す。
【００７６】
プリンタ名９０１は、応答した画像形成装置２０の名前を示す情報である。ＩＰアドレス９０２は、各画像形成装置２０のＩＰアドレスを示す情報である。サポート状況９０３は、各画像形成装置が、モバイル端末１０による応答指示中で指定された文書のファイルフォーマットをサポートしているか否かを示す情報である。
【００７７】
図９においては、「画像形成装置２０−１」は「１９２．１６８．０．１」のＩＰアドレスが割り当てられており、モバイル端末１０による応答指示中で指定された文書のファイルフォーマットを「サポート」していることが示されている。「画像形成装置２０−２」は「１９２．１６８．０．２」のＩＰアドレスが割り当てられており、モバイル端末１０による応答指示中で指定された文書のファイルフォーマットに対しては「非サポート」つまり、サポートしていないことが示されている。「画像形成装置２０−３」は「１９２．１６８．０．３」のＩＰアドレスが割り当てられており、モバイル端末１０による応答指示中で指定された文書のファイルフォーマットに対しては「非サポート」つまり、サポートしていないことが示されている。
【００７８】
画像形成装置２０は、図９の各行が示すような情報をモバイル端末１０に送信する。モバイル端末１０は、受信した各画像形成装置２０による応答指示への応答をまとめて、図９に示すような情報として、ユーザに提示する。
【００７９】
９．変形例
【００８０】
本実施形態では、モバイル端末１０と各画像形成装置２０とがローカルエリアネットワークを経由して接続している例が示された。この接続態様の代わりに、モバイル端末１０と各画像形成装置２０とが短距離無線通信により接続する態様を採用してもよい。
【００８１】
本実施形態では、モバイル端末１０の制御回路１００が、応答指示への応答に基づいて、印刷可能な画像形成装置２０がないと判断される場合（ステップＳ１０６：ない）、１つの画像形成装置２０を選択する（ステップＳ１０９）。この選択の方法については、限定していないが、制御回路１００は、各画像形成装置２０がサポートするファイルフォーマットのうち、最も画質のよい印刷出力が得られるファイルフォーマットを一つ選択し、選択したファイルフォーマットをサポートする画像形成装置２０を一つ選択する方法によって、画像形成装置２０を選択してもよい。
【００８２】
本実施形態で開示した構成は、いずれも組み合わせて実施することができる。
【００８３】
６．結語
【００８４】
（１）本実施形態によれば、情報処理置は、外部の画像形成装置に、文書ファイリングシステムに格納されている１つの文書が印刷可能であるか否かを応答するように指示し、当該応答指示に対して印刷可能であると応答した画像形成装置に対して文書を送信してダイレクト印刷するように、文書ファイリングシステムに指示する。これにより、ユーザがダイレクト印刷可能なファイルフォーマットを調べる手間をなくし、利便性を向上することができる。
【００８５】
（２）本実施形態によれば、情報処理装置は、文書を印刷可能であると応答した画像形成装置がない場合に、文書ファイリングシステムに文書のファイルフォーマットを変換した上でダイレクト印刷するように指示する。これにより、ダイレクト印刷可能な画像形成装置がない場合でも、ユーザ所望の印刷出力が得られ、利便性を向上することができる。
【００８６】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００８７】
１…画像形成システム
１０…モバイル端末（情報処理装置）
１００…制御回路（制御部）
１５…ネットワーク通信インターフェース
１７…表示装置（表示部）
２０…画像形成装置
３０…文書ファイリングシステム
【図１】
2020144786.tif 000003
【図２】
2020144786.tif 000004
【図３】
2020144786.tif 000005
【図４】
2020144786.tif 000006
【図５】
2020144786.tif 000007
【図６】
2020144786.tif 000008
【図７】
2020144786.tif 000009
【図８】
2020144786.tif 000010
【図９】
2020144786.tif 000011